(57)【要約】【課題】放電電極とグランド電極との間で発生するマイナスイオンを充分に拡散するとともに、ファンを小型化し省電力及び静音化を図ること。【解決手段】放電電極１０３と、グランド電極１０４と、これらに風を送り出すファン１０１とを備え、放電電極１０３とグランド電極１０４とにより、コロナ放電を生じさせることで、マイナスイオンを発生させ、ファン１０１により送り出された風でマイナスイオンを拡散するようにしたマイナスイオン発生装置１００であって、複数の放電電極１０１を一列に並べた基台１０５と、グランド電極１０４と複数の放電電極１０３との間で生じたマイナスイオンを部分的に拡散することができる風量のファン１０１と、を有し、ファン１０１を往復運動させることにより、マイナスイオンを順番に拡散するようにしたことを特徴とするマイナスイオン発生装置１００を提供する。【選択図】図１
2004079388.tif 000002
【特許請求の範囲】
【請求項１】
放電電極と、前記放電電極から所定の距離を離して設けられているグランド電極と、前記放電電極及び前記グランド電極の方向に風を送り出すファンと、を備え、
前記放電電極と前記グランド電極とに電圧を印加し、コロナ放電を生じさせることにより、マイナスイオンを発生させ、前記ファンにより送り出された風でマイナスイオンを拡散するマイナスイオン発生装置であって、
複数の前記放電電極を少なくとも一列以上の列状に並べた基台と、前記グランド電極と複数の前記放電電極との間で生じたマイナスイオンを部分的に拡散することができる風量のファンと、を有し、
前記ファンを移動させることにより、若しくは、前記基台及び前記グランド電極を移動させることにより、または、前記ファン及び前記基台並びに前記グランド電極を移動させることにより、前記グランド電極と複数の前記放電電極との間で生じたマイナスイオンを順番に拡散するようにしたことを特徴とするマイナスイオン発生装置。
【請求項２】
前記ファンは、軸を中心として羽を回転させることにより、前記放電電極及び前記グランド電極の方向に風を送り出すように構成されており、前記羽の回転直径は、隣り合っている前記放電電極間の距離よりも小さくされていることを特徴とする請求項１に記載のマイナスイオン発生装置。
【請求項３】
前記ファンを前記放電電極が配列されている方向において往復運動させ、または、前記基台及び前記グランド電極をこれらの位置関係を維持したまま前記方向において往復運動させる手段を有することを特徴とする請求項１又は２に記載のマイナスイオン発生装置。
【請求項４】
前記基台は、環状に形成されており、
前記ファンは、環状に形成された前記基台の中心に位置しており、
前記ファンを円運動させ、または、前記基台及び前記グランド電極を前記ファンを中心として円運動させる手段を有することを特徴とする請求項１又は２に記載のマイナスイオン発生装置。
【請求項５】
前記ファンは、風量が３００リットル／分、最大静圧２．２ｍｍＡｇであることを特徴とする請求項１乃至４の何れか一項に記載のマイナスイオン発生装置。
【請求項６】
前記ファンの騒音レベルは、２９ｄＢＡ以下であることを特徴とする請求項１乃至５の何れか一項に記載のマイナスイオン発生装置。
【発明の詳細な説明】
【０００１】
【発明の属する技術分野】
本発明は、マイナスイオン発生装置に関する。
【０００２】
【従来の技術】
従来のマイナスイオン発生装置、特に、コロナ放電を利用したマイナスイオン発生装置は、図４に表されているように、放電電極３０３と、この放電電極３０３から所定距離を離してグランド電極３０４を配置し、放電電極３０３からグランド電極３０４に向かって放電された電子が気体分子や微粒子に衝突した勢いとマイナスに帯電した気体分子等がプラスに帯電しているグランド電極３０４に引き寄せられる引力によりいわゆるイオン風を生じさせることで、マイナスイオンを拡散するようにしていた。
【０００３】
また、図５に表されているように、放電電極４０３とグランド電極４０４の方向に風を送り出すようにファン４０１を設けておくことで、ファン４０１の送り出す風により、マイナスイオンを拡散するようにしており、従来は、マイナスイオンを大量に発生させるため放電電極を複数設けるが、ファン４０１については風量の大きなものを一つだけ使用していた。
【０００４】
【発明が解決しようとする課題】
しかしながら、従来のようにいわゆるイオン風を利用してマイナスイオンを拡散する場合には、電子は気体分子等と比べて著しく小さいため、また、マイナスに帯電した気体分子等をグランド電極から離して拡散させるためには引力よりも大きな斥力を必要とするため、このマイナスイオンを充分に拡散することは不可能であった。
【０００５】
また、従来のように一つのファンでグランド電極と複数設けられている放電電極との間で発生するマイナスイオンを拡散するようにする場合には、グランド電極と複数設けられている放電電極との間で発生するマイナスイオンに充分に風を当てるため、風量の大きい大型のファンを使用する必要があり、消費電力及び騒音といった面で問題があった。
【０００６】
そこで、本発明は、放電電極とグランド電極との間で発生するマイナスイオンを充分に拡散するとともに、風量の小さいファンを使用し、省電力化及び静音化されたマイナスイオン発生装置を提供することを目的とする。
【０００７】
【課題を解決するための手段】
以上の課題を解決するため、本発明は、放電電極と、前記放電電極から所定の距離を離して設けられているグランド電極と、前記放電電極及び前記グランド電極の方向に風を送り出すファンと、を備え、前記放電電極と前記グランド電極とに電圧を印加し、コロナ放電を生じさせることにより、マイナスイオンを発生させ、前記ファンにより送り出された風でマイナスイオンを拡散するマイナスイオン発生装置であって、複数の前記放電電極を少なくとも一列以上の列状に並べた基台と、前記グランド電極と複数の前記放電電極との間で生じたマイナスイオンを部分的に拡散することができる風量のファンと、を有し、前記ファンを移動させることにより、若しくは、前記基台及び前記グランド電極を移動させることにより、または、前記ファン及び前記基台並びに前記グランド電極を移動させることにより、前記グランド電極と複数の前記放電電極との間で生じたマイナスイオンを順番に拡散するようにしたことを特徴とするマイナスイオン発生装置を提供する。
【０００８】
本発明に係るマイナスイオン発生装置は、放電電極と、この放電電極から所定の距離を離して設けられているグランド電極と、これらの放電電極とグランド電極の方向に風を送り出すファンと、を備えており、放電電極とグランド電極とのコロナ放電により発生したマイナスイオンをファンにより送り出された風を当てることにより拡散するように構成されている。
【０００９】
そして、複数の放電電極が、基台上に少なくとも一列以上の列状となるように形成されており、ファンは、これらの複数の放電電極とグランド電極との間で生じたマイナスイオンを部分的に拡散する程度の風量を有するものが使用されており、このようなファンを移動させることにより、若しくは、基台及びグランド電極を移動させることにより、または、ファン及び基台並びにグランド電極を移動させることにより、グランド電極と複数の放電電極との間で生じたマイナスイオンを順番に拡散するようにしている。
【００１０】
即ち、ファンは、複数の放電電極とグランド電極との間で生じたマイナスイオンを部分的に拡散することができる程度の風量を有するものであれば足り、固定された一つのファンで、複数設けられた放電電極とグランド電極との間で生じたマイナスイオンを一度に拡散するように構成する場合と比べて、単位時間あたりに吐き出す空気の体積である風量を減らすことができ、省電力性及び静音性を高めることができる。
【００１１】
例えば、風量の小さいファンとしては、軸を中心として羽を回転させることにより放電電極及びグランド電極の方向に風を送り出すように構成されたファンを使用する場合には、羽が回転する回転直径を、隣り合っている放電電極間の距離よりも小さくなるように形成することもできる。
【００１２】
また、このような風量を有するファンとして、例えば、風量が３００リットル／分、最大静圧２．２ｍｍＡｇのものがある。
【００１３】
なお、複数の放電電極を並べる列については、少なくとも一列以上あれば足りるが、複数列形成することで、マイナスイオンの発生量が多くなる。
【００１４】
ここで、ファン、放電電極、基台は、ファンを放電電極が配列されている方向において往復運動させ、または、基台及びグランド電極をこれらの位置関係を維持したままこの方向において往復運動させる手段により移動させることができる。
【００１５】
また、基台を環状に形成し、ファンを環状に形成された基台の中心に位置させることで、ファンを円運動させる手段、または、基台及びグランド電極をファンを中心として円運動させる手段により、ファン、放電電極、基台を移動させてもよい。
【００１６】
なお、ファンについては、騒音レベルが２９ｄＢＡ以下のものを使用することで、静音性を確保することができる。
【００１７】
【発明の実施の形態】
図１は、本発明の第一の実施形態に係るマイナスイオン発生装置１００の概略構成図である。
【００１８】
マイナスイオン発生装置１００は、電源１０６がつながれている放電電極１０３と、一部がグランドされているグランド電極１０４と、放電電極１０３とグランド電極１０４の方向に風を送り出すファン１０１と、ファン１０１を移動させるための駆動装置１０７により構成されている。
【００１９】
放電電極１０３とグランド電極１０４とは、所定の距離Ｘを離して設けられており、これらの放電電極１０３とグランド電極１０４の方向、即ち、図１のＡ方向に風を送り出すようにファン１０１が配置されている。
【００２０】
そして、放電電極１０３には電源１０６が接続されており、一部がグランドされているグランド電極１０４との間でコロナ放電を生じさせることでマイナスイオンを発生させ、このマイナスイオンをファン１０１が送り出す風で拡散するようにしている。
【００２１】
この距離Ｘは、放電電極１０３に接続されている電源１０６で印加することのできる電圧等を考慮して適時選択する必要がある。
【００２２】
このように放電電極１０３とグランド電極１０４とを所定の距離Ｘを離して設け、放電電極１０３に電源１０６から電圧をかけることにより、コロナ放電が発生し、コロナ放電により放電電極１０３からグランド電極１０４に向けて電子が拡散されることにより、放電電極１０３とグランド電極１０４との間の気体分子や微粒子に電子が飛び込み、マイナスイオンが発生する。
【００２３】
このようにして発生したマイナスイオンは、ファン１０１が送り出す風により拡散される。
【００２４】
放電電極１０３は、直線状に形成されている基台１０５上に一列となるように設けられており、また、グランド電極１０４との間でコロナ放電を生じやすいように、グランド電極１０４の方向に凸となるように円錐形状に形成されている。
【００２５】
なお、本実施形態では、五つの放電電極１０３を一列になるように設けたが、放電電極１０３の数及び列の数については、これに限られる訳ではなく、放電電極１０３の数を増やし、また、列の数を増やすことにより、マイナスイオンの発生量を増加させることが可能である。
【００２６】
もっとも、放電電極１０３の数や列の数を増やしすぎると、それだけファン１０１の風量も大きくせざるを得なくなるため、これらの数については、ファン１０１の消費電力及び騒音が大きくなりすぎない範囲で適時選択する必要がある。
【００２７】
また、グランド電極１０４には、放電電極１０３と対向している位置に貫通孔１０４ａが設けられている。
【００２８】
これは、放電電極１０３とグランド電極１０４との間で生じたマイナスイオンをファン１０１の送り出す風により拡散されたマイナスイオンの通り道を確保するためである。
【００２９】
なお、貫通孔１０４ａの大きさ・形状については、ファン１０１から送り出される風の通り道を確保するという目的を達成できる範囲で、自由に設計することができる。
【００３０】
本実施形態に係るファン１０１は、四枚の羽１０１ａが軸１０１ｂを中心として回転することで、放電電極１０３及びグランド電極１０４の方向、即ち、図１のＡ方向に風が向かうように形成されており、軸１０１ｂを中心として羽１０１ａが回転する回転直径Ｙが、隣り合っている放電電極１０３間の距離Ｚよりも小さくなるように形成されている。
【００３１】
図２に表されているように、ファン１０１を移動させるために駆動装置１０７は、モーター１０８の回転軸１０８ａに歯車１０９を取り付け、この歯車１０９に原動プーリ１１０を取り付け、この原動プーリ１１０とこの原動プーリ１１０から所定の距離を離した位置に設けられている従動プーリ１１１との間にＶベルト１１２を張ることで構成されており、このＶベルト１１２にファン１０１を取り付けることにより、往復運動、即ち、図１のＢ・Ｂ’方向に往復するように構成されている。
【００３２】
さらに、本実施形態で使用されているファン１０１は、風量が３００リットル／分、最大静圧２．２ｍｍＡｇであり、かつ、騒音レベルが２９ｄＢＡである。
【００３３】
このように容量の小さい小型のファン１０１を使用し、このファン１０１を移動させて全ての放電電極１０３に風が当たるようにすることで、省電力及び静音が図られるとともに、マイナスイオンが充分に拡散されるようになる。
【００３４】
なお、本実施形態では、ファン１０１を移動させるようにしているが、例えば、このファン１０１を固定し、放電電極１０３を設けた基台１０５及びグランド電極１０４をそれらの間の位置関係を維持したまま、図１のＢ・Ｂ’方向に往復運動させるようにしてもよく、また、ファン１０１及び基台１０５並びにグランド電極１０４を往復運動させることもできる。
【００３５】
図３は、本発明の第二の実施形態に係るマイナスイオン発生装置２００の概略構成図である。
【００３６】
本実施形態に係るマイナスイオン発生装置２００では、第一の実施形態に係るマイナスイオン発生装置１００と異なり、ファン１０１を中心として、グランド電極２０４を環状に形成し、放電電極１０３を設けた基台２０５もグランド電極２０４の内側において環状に形成している。
【００３７】
ファン１０１には、モーター２０８が接続されており、図３に表されているように、モーター２０８の回転軸２０８ａの軸方向の回り、即ち、図３のＣ方向に円運動をするようにされており、このファン１０１から外側に向かって、風を起こし、放電電極１０３と、グランド電極２０４との間で発生したマイナスイオンを拡散するようにしている。
【００３８】
なお、本実施形態では、ファン１０１を回転させることとしているが、例えば、このファン１０１を固定して、基台２０５及びグランド電極２０４をそれらの位置関係を維持したまま、ファン１０１を中心として回転させることもでき、さらに、ファン１０１及び基台２０５並びにグランド電極２０４を回転させることもできる。
【００３９】
【発明の効果】
以上のように、本発明を構成したので、放電電極とグランド電極との間で発生するマイナスイオンを充分に拡散するとともに、ファンの風量を小さくし省電力及び静音化を図ることができる。
【図面の簡単な説明】
【図１】第一の実施形態に係るマイナスイオン発生装置１００の概略構成図。
【図２】駆動装置１０７の概略構成図。
【図３】第二の実施形態に係るマイナスイオン発生装置２００の概略構成図。
【図４】従来のマイナスイオン発生装置３００の概略構成図。
【図５】従来のマイナスイオン発生装置４００の概略構成図。
【符号の説明】
１００、２００　マイナスイオン発生装置
１０１、４０１　ファン
１０３　放電電極
１０４、２０４、３０４、４０４　グランド電極
１０５、２０５　基台
１０６　電源
１０７　駆動装置
１０８、２０８　モーター
【図１】
2004079388.tif 000003
【図２】
2004079388.tif 000004
【図３】
2004079388.tif 000005
【図４】
2004079388.tif 000006
【図５】
2004079388.tif 000007